(57)【要約】【課題】開閉検出機構の接触型位置検出スイッチの損傷および誤検出を低減できる遊技機を提供する。【解決手段】内枠１２が閉状態となる際に、緩衝部材４００の第１突出部材４０６の弾性部４０４が外枠１１に当接し、この当接力で回動部４０２と第２突出部材４０８とが回動軸周りに回動し、この回動した第２突出部材４０８が接触型位置検出スイッチ３８８の可動片４２４を押圧し、内枠１２の閉状態を検出でき、緩衝部材４００の回動は、第２突出部材４０８が可動片４２４を押圧した時点で停止し、その後は、第１突出部材４０６の弾性部４０４が弾性変形して内枠１２が閉状態となるので、内枠１２を閉状態とする際の衝撃は、緩衝部材４００により緩めやわらげられ、第１突出部材４０６が外枠１１によりさらに押さえつけられたとしても、第２突出部材４０８は反ることが無く、誤検出の発生を低減できる。【選択図】図１０
2011139937.tif 000002
【特許請求の範囲】
【請求項１】
被対象部材に対して開いた開状態と、前記被対象部材に対して閉じた閉状態とに変位可能な開閉部材と、
前記開閉部材の開状態と閉状態とのうちで少なくとも閉状態を検出する検出手段と、
前記開閉部材を閉状態とする際の当該開閉部材と前記検出手段との間に設けられる緩衝部材と、
を備えた遊技機において、
前記緩衝部材は、前記開閉部材に軸支された回動部と、前記回動部からその回動軸に対して交差する方向に突出した部材であって、前記開閉部材が閉状態となる際に前記被対象部材に当接する第１突出部材と、前記回動部からその回動軸に対して交差する方向でかつ前記第１突出部材とは異なる方向に突出した、前記第１突出部材とは別の第２突出部材とが一体的に形成されたものであり、
前記検出手段は、収納本体部と、付勢力により押出される可動片と、前記可動片を押圧することで開あるいは閉となる接点部とを備えた接触型位置検出手段であり、
前記接触型位置検出手段は、前記開閉部材が閉状態となる際に回動してきた前記第２突出部材が前記可動片を押圧する位置に配設され、前記可動片の押圧により前記開閉部材が閉状態の位置にあることを検出するものであり、
前記第１突出部材は、前記開閉部材を閉状態としたときに弾性変形する弾性部を有している
ことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持されて遊技盤などが取り付けられた内枠とを備えている。また、このパチンコ機は、内枠を不正に開放して不正行為が行われることを防止するために、内枠の開閉を検出する開閉検出機構を備えている（例えば、特許文献１参照）。
【先行技術文献】
【特許文献】
【０００３】
【特許文献１】特開２００３−１２６４７６号公報（第３−５頁，第５図）
【発明の開示】
【発明が解決しようとする課題】
【０００４】
しかしながら、このような構成を有する従来例の場合には、次のような問題がある。
すなわち、従来のパチンコ機では、例えば、前述した開閉検出機構は、接触型位置検出スイッチ（例えばマイクロスイッチ）を備え、内枠（被検出体）が閉まる際にこの内枠で接触型位置検出スイッチの検出部を押下させる方式、つまり、押下されることで閉状態を検出し、押下されていないことで開状態を検出する方式を採っているが、内枠が接触型位置検出スイッチの検出部に強く当たることで接触型位置検出スイッチが破壊されてしまうという問題がある。
【０００５】
そこで、開閉検出機構としては、内枠（被検出体）が閉まる時の衝撃を吸収するための緩衝部材を介して、接触型位置検出スイッチで検出することが考えられる。具体的には、この緩衝部材としては、一端側が軸支される板バネの他端側を、その一端側と他端側との中間箇所付近に向けてＶの字状に折り曲げたバネ部材が挙げられる。なお、このバネ部材のうちで、一端側と他端側との略中間に位置する先端部分を先端部と呼び、Ｖの字状に折り曲がった箇所を曲げ部と呼び、曲げ部から一端側までを板部と呼ぶ。そして、このバネ部材の先端部に内枠（被検出体）を当てて衝撃を吸収するようにし、バネ部材の板部の裏面側を接触型位置検出スイッチの検出部に押下させて検出するのであるが、内枠がさらに奥に押し込まれるとバネ部材の曲げ部が内枠に近づくようにして反ってしまい、板部における接触型位置検出スイッチの検出部との接触箇所が離れて、接触型位置検出スイッチの検出部の押下が解除されることがあり、内枠が閉じられているのにスイッチで開状態と検出される。つまり、誤検出されることがあるという問題が生じる。
【０００６】
本発明は、このような事情に鑑みてなされたものであって、開閉検出機構の接触型位置検出スイッチの損傷および誤検出を低減できる遊技機を提供することを目的とする。
【課題を解決するための手段】
【０００７】
本発明は、このような目的を達成するために、次のような構成を採る。
すなわち、請求項１に記載の発明は、
被対象部材に対して開いた開状態と、前記被対象部材に対して閉じた閉状態とに変位可能な開閉部材と、
前記開閉部材の開状態と閉状態とのうちで少なくとも閉状態を検出する検出手段と、
前記開閉部材を閉状態とする際の当該開閉部材と前記検出手段との間に設けられる緩衝部材と、
を備えた遊技機において、
前記緩衝部材は、前記開閉部材に軸支された回動部と、前記回動部からその回動軸に対して交差する方向に突出した部材であって、前記開閉部材が閉状態となる際に前記被対象部材に当接する第１突出部材と、前記回動部からその回動軸に対して交差する方向でかつ前記第１突出部材とは異なる方向に突出した、前記第１突出部材とは別の第２突出部材とが一体的に形成されたものであり、
前記検出手段は、収納本体部と、付勢力により押出される可動片と、前記可動片を押圧することで開あるいは閉となる接点部とを備えた接触型位置検出手段であり、
前記接触型位置検出手段は、前記開閉部材が閉状態となる際に回動してきた前記第２突出部材が前記可動片を押圧する位置に配設され、前記可動片の押圧により前記開閉部材が閉状態の位置にあることを検出するものであり、
前記第１突出部材は、前記開閉部材を閉状態としたときに弾性変形する弾性部を有している
ことを特徴とするものである。
【０００８】
［作用・効果］請求項１に記載の発明によれば、開閉部材は、被対象部材に対して開いた開状態と、被対象部材に対して閉じた閉状態とに変位可能なものである。検出手段は、開閉部材の開状態と閉状態とのうちで少なくとも閉状態であることを検出する。緩衝部材は、開閉部材を閉状態とする際の開閉部材と検出手段との間に設けられ、開閉部材に軸支された回動部と、この回動部からその回動軸に対して交差する方向に突出した部材であって、開閉部材が閉状態となる際に被対象部材に当接する第１突出部材と、回動部からその回動軸に対して交差する方向でかつ第１突出部材とは異なる方向に突出した、第１突出部材とは別の第２突出部材とが一体的に形成されたものである。検出手段は、収納本体部と、付勢力により押出される可動片と、この可動片を押圧することで開あるいは閉となる接点部とを備えた接触型位置検出手段としている。また、この接触型位置検出手段は、開閉部材が閉状態となる際に回動してきた第２突出部材が可動片を押圧する位置に配設されており、第２突出部材による可動片の押圧により開閉部材が閉状態の位置にあることを検出する。また、第１突出部材は、開閉部材を閉状態としたときに弾性変形する弾性部を有している。
【０００９】
したがって、開閉部材が閉状態となる際に、緩衝部材の第１突出部材が被対象部材に当接し、この当接力を受けることで回動部が回動軸周りに回動し、この回動に伴ってその回動方向に第２突出部材も回動し、この回動してきた第２突出部材が接触型位置検出手段の可動片を押圧し、開閉部材が閉状態であることを検出することができる。また、緩衝部材の回動は、第２突出部材が接触型位置検出手段の可動片を押圧した時点で停止し、その後は、第１突出部材の弾性部が弾性変形して開閉部材が閉状態となるので、開閉部材を閉状態とする際の開閉部材と被対象部材との間の衝撃は、緩衝部材の第１突出部材の弾性部により緩めやわらげることができる。また、緩衝部材の第１突出部材が被対象部材よりさらに押さえつけられたとしても、第２突出部材は反ることが無く、誤検出の発生を低減できる。その結果、接触型位置検出手段（例えば開閉検出機構の接触型位置検出スイッチ）の損傷および誤検出を低減できる遊技機を提供することができる。
【００１０】
なお、本明細書で言う「開閉部材が閉状態となる際に被対象部材に当接する」とは、開閉部材が閉状態となる際に、被対象部材に直接に当たることのみならず、被対象部材に対しては直接触れないがこの被対象部材に設けられた配設部材あるいは介装部材に当接することも含む意味である。
【発明の効果】
【００１１】
この発明に係る遊技機によれば、開閉部材が閉状態となる際に、緩衝部材の第１突出部材の弾性部が被対象部材に当接し、この当接力を受けることで回動部が回動軸周りに回動し、この回動に伴ってその回動方向に第２突出部材も回動し、この回動してきた第２突出部材が接触型位置検出手段の可動片を押圧し、開閉部材が閉状態であることを検出することができる。また、緩衝部材の回動は、第２突出部材が接触型位置検出手段の可動片を押圧した時点で停止し、その後は、第１突出部材の弾性部が弾性変形して開閉部材が閉状態となるので、開閉部材を閉状態とする際の開閉部材と被対象部材との間の衝撃は、緩衝部材の第１突出部材の弾性部により緩めやわらげることができる。また、緩衝部材の第１突出部材が被対象部材よりさらに押さえつけられたとしても、第２突出部材は反ることが無く、誤検出の発生を低減できる。その結果、接触型位置検出手段（例えば開閉検出機構の接触型位置検出スイッチ）の損傷および誤検出を低減できる遊技機を提供することができる。
【図面の簡単な説明】
【００１２】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】（ａ）〜（ｃ）は、内枠を外枠に対して閉じる様子を示す平面図である。
【図７】（ａ）〜（ｃ）は、図６に示した前面枠セットと内枠の一部を除去した状態で内枠を外枠に対して閉じる様子を示す平面図である。
【図８】（ａ）〜（ｃ）は、図７に示した内枠を外枠に対して閉じる様子を示す一部破断平面図である。
【図９】（ａ）〜（ｃ）は、図７に示した内枠を外枠に対して閉じる際の開閉検出機構部分の様子を示す部分正面図である。
【図１０】（ａ）〜（ｃ）は、図９に示した開閉検出機構部分を拡大した拡大図である。
【図１１】（ａ）〜（ｃ）は、図１０に示した開閉検出機構の様子を示す図である。
【図１２】（ａ）は図９（ｃ）に示した一点鎖線箇所を拡大した拡大図であり、（ｂ）は緩衝部材と接触型位置検出スイッチの正面図である。
【図１３】（ａ）〜（ｃ）は、図１０に示した開閉検出機構部分を、内枠を固定で外枠が移動するという視点で表わした図である。
【図１４】（ａ）〜（ｃ）は、図１１に示した開閉検出機構部分を、内枠を固定で外枠が移動するという視点で表わした図である。
【発明を実施するための形態】
【００１３】
なお、本明細書は、次のような遊技機に係る発明も開示している。
【００１４】
（１）  請求項１に記載の遊技機において、
前記可動片は、その少なくとも一部が前記収納本体部の所定の当接面から外側に出たものであり、
前記接触型位置検出手段は、前記開閉部材が閉状態となる際に回動してきた前記第２突出部材が前記可動片を押圧した状態において、前記収納本体部の当接面に前記第２突出部材が当接する位置に配設されている
ことを特徴とする遊技機。
【００１５】
前記（１）に記載の発明によれば、可動片は、その少なくとも一部が収納本体部の所定の当接面から外側に出ている。接触型位置検出手段は、開閉部材が閉状態となる際に回動してきた第２突出部材が前記可動片を押圧した状態において、収納本体部の当接面に第２突出部材が当接する位置に配設されている。したがって、緩衝部材の回動は、第２突出部材が接触型位置検出手段の可動片を押圧した状態で収納本体部の当接面に当接した時点で停止するので、接触型位置検出手段の可動片を必要以上に押圧することがなく、接触型位置検出手段の可動片の損傷を低減することができる。
【００１６】
（２）  請求項１に記載の遊技機、または、前記（１）に記載の遊技機において、
前記開閉部材は、前記被対象部材の一辺側を開閉回動軸として片開き自在となっており、
前記回動部は、その回動軸が前記開閉回動軸に対して直交するようにして前記開閉部材に軸支されている
ことを特徴とする遊技機。
【００１７】
前記（２）に記載の発明によれば、開閉部材は、被対象部材の一辺側を開閉回動軸として片開き自在となっている。回動部は、その回動軸が開閉回動軸に対して直交するようにして開閉部材に軸支されている。したがって、緩衝部材の第１突出部材および第２突出部材は開閉部材の面内で回動するようにでき、開閉部材と直交する面方向に緩衝部材の第１突出部材および第２突出部材が突出してくることがない。つまり、開閉部材が片開きする方向に緩衝部材の第１突出部材および第２突出部材が突出しないので、開閉部材が片開きする方向を省スペース化することができる。
【００１８】
（３）  請求項１に記載の遊技機、または、前記（１）または（２）に記載の遊技機において、
前記第２突出部材は、前記回動部からその回動軸に対して直交する方向で、かつ、前記第１突出部材に対して直交または略直交する方向に突出しており、
前記緩衝部材は、前記回動部の回動軸方向から見た状態において、前記第１突出部材と前記回動部と前記第２突出部材とを含めた形状が略Ｌ字形状となっている
ことを特徴とする遊技機。
【００１９】
前記（３）に記載の発明によれば、第２突出部材は、回動部からその回動軸に対して直交する方向で、かつ、第１突出部材に対して直交または略直交する方向に突出している。緩衝部材は、回動部の回動軸方向から見た状態において、第１突出部材と回動部と第２突出部材とを含めた形状が略Ｌ字形状となっている。したがって、第１突出部材が被対象部材に接触する接触面側に、接触型位置検出手段を配置する必要はなく、その接触面に対して直交しかつ回動部の回動軸と平行な面側に接触型位置検出手段を配置することができる。つまり、第１突出部材が被対象部材に接触する接触面から第２突出部材の突出方向に離れた位置に接触型位置検出手段を配置することができ、接触型位置検出手段が配置し易くできる。また、接触型位置検出手段の可動片を下向きあるいは上向きに配置できる。
【００２０】
（４）  前記（３）に記載の遊技機において、
前記緩衝部材は、前記第１突出部材が前記回動部から略下方に突出し、かつ、前記第２突出部材が前記回動部から略水平方向に突出した状態で前記開閉部材に軸支されており、
前記開閉部材が開状態であるときは、前記接触型位置検出手段の前記可動片の付勢力により前記緩衝部材の前記第２突出部材が押し下げ回動された開検出状態となっており、
さらに、前記の開検出状態の前記第２突出部材が押し下げ方向に限界位置を越えて回動することがないように規制する規制部材を備えている
ことを特徴とする遊技機。
【００２１】
前記（４）に記載の発明によれば、緩衝部材は、第１突出部材が回動部から略下方に突出し、かつ、第２突出部材が回動部から略水平方向に突出した状態で開閉部材に軸支されている。開閉部材が開状態であるときは、接触型位置検出手段の可動片の付勢力により緩衝部材の第２突出部材が押し下げ回動された開検出状態となっている。規制部材は、その開検出状態の第２突出部材が押し下げ方向に限界位置を越えて回動することがないように規制する。したがって、緩衝部材の第１突出部材が異常に外側に突出した状態となることを防止できる。つまり、第１突出部材が異常に突出した場合には、開閉部材を閉状態にする際における衝撃を緩めるという緩衝機能を緩衝部材が果さないだけでなく、開閉部材を閉状態にする際に、第１突出部材を挟んで第１突出部材や緩衝部材などに損傷を与えてしまうおそれもあるが、規制部材によりこれらを防止することができるし、第１突出部材を適正な状態に維持することができる。
【００２２】
（５）  前記（４）に記載の遊技機において、
さらに、前記開閉部材は、開口部から前記第１突出部材の前記弾性部を露出させるようにして前記緩衝部材を収容する収容部材を備え、
前記収容部材は、前記第１突出部材の前記被対象部材と当接する側とは反対側に壁部を備えている
ことを特徴とする遊技機。
【００２３】
前記（５）に記載の発明によれば、開閉部材は、開口部から第１突出部材の弾性部を露出させるようにして緩衝部材を収容する収容部材を備えている。収容部材は、第１突出部材の被対象部材と当接する側とは反対側に壁部を備えている。したがって、収容部材の開口部と第１突出部材との間の僅かな隙間から細状部材などを進入させて不正を図ろうとした場合に、この壁部が防御壁となり、その進入を抑制でき、不正を低減することができる。
【００２４】
（６）  前記（５）に記載の遊技機において、
前記壁部は、前記第１突出部材が押し戻し方向に限界位置を越えて回動することがないように規制するものである
ことを特徴とするものである。
【００２５】
前記（６）に記載の発明によれば、壁部は、第１突出部材が押し戻し方向に限界位置を越えて回動することがないように規制するものとしているので、第１突出部材が押し戻し方向に限界位置を越えて回動することがないように規制でき、第１突出部材が押し戻し方向に限界位置を越えて回動することで接触型位置検出手段が損傷してしまうということを低減できる。また、仮に、被対象部材と第１突出部材との間にケーブルなどの異物を挟んだ状態となり、第１突出部材が押し戻し方向に回動しても限界位置を越えてまで回動することがなく、開閉部材が適正に閉じないあるいは閉じ難いことから、異物の噛み込みを発見できる。
【００２６】
（７）  請求項１に記載の遊技機、または、前記（１）から（６）のいずれか一つに記載の遊技機において、
前記第１突出部材は、前記第２突出部材よりも厚みを薄くしているものであることを特徴とする遊技機。
【００２７】
前記（７）に記載の発明によれば、第２突出部材は、第１突出部材は、第２突出部材よりも厚みを薄くしているので、第１突出部材に回動限界以上の力が加わった場合に、第２突出部材よりも第１突出部材の方が変形し易くできる。つまり、第１突出部材の弾性部を好適に実現できる。
【００２８】
（８）  請求項１に記載の遊技機、または、前記（１）から（７）のいずれか一つに記載の遊技機において、
前記第１突出部材は、前記第２突出部材よりもその突出長さを長くしているものであることを特徴とする遊技機。
【００２９】
前記（８）に記載の発明によれば、第２突出部材は、第１突出部材は、第２突出部材よりもその突出長さを長くしているので、第１突出部材に回動限界以上の力が加わった場合に、第２突出部材よりも第１突出部材の方が変形し易くできる。つまり、第１突出部材の弾性部を好適に実現できる。また、第１突出部材は、第２突出部材よりも厚みを薄くし、かつ、第２突出部材よりもその突出長さを長くしている場合には、さらに弾性に富む。
【００３０】
（９）  請求項１に記載の遊技機、または、前記（１）から（８）のいずれか一つに記載の遊技機において、
前記弾性部は、前記第１突出部材の先端から前記回動部の方に折り曲げた折り曲げ部材としていることを特徴とする遊技機。
【００３１】
前記（９）に記載の発明によれば、弾性部は、第１突出部材の先端から回動部の方に折り曲げた折り曲げ部材としているので、第１突出部材を直線状部材とする場合に比べて第１突出部材を省スペースで弾性を有するものとすることができ、第２突出部材よりも大きく弾性変形させることができ、第１突出部材の弾性部を好適に実現できる。
【００３２】
（１０）  前記（９）に記載の遊技機において、
前記折り曲げ部材は、その先端に円弧状部材を備えていることを特徴とする遊技機。
【００３３】
前記（１０）に記載の発明によれば、折り曲げ部材は、その先端に円弧状部材を備えているので、開閉部材を閉状態とする際に近づいてくる被対象部材に対して好適に接触させることができ、確実に緩衝部材を回動させることができる。
【００３４】
（１１）  請求項１に記載の遊技機、または、前記（１）から（１０）のいずれか一つに記載の遊技機において、
前記被対象部材は、当該遊技機の外殻を形成し遊技場の遊技島に固定される外枠であり、
前記開閉部材は、前記外枠の一側部を開閉軸として当該外枠に対して開閉可能に支持された内枠である
ことを特徴とする遊技機。
【００３５】
前記（１１）に記載の発明によれば、被対象部材は、当該遊技機の外殻を形成し遊技場の遊技島に固定される外枠としている。開閉部材は、外枠の一側部を開閉軸としてこの外枠に対して開閉可能に支持された内枠としている。したがって、外枠に対して内枠が開かれた開状態を好適に検出できるし、内枠を閉じる際の衝撃も緩めることができるし、接触型位置検出手段（例えば開閉検出機構の接触型位置検出スイッチ）の損傷および誤検出を低減できる。
【００３６】
（１２）  請求項１に記載の遊技機、または、前記（１）から（１１）のいずれか一つに記載の遊技機において、
前記遊技機はパチンコ機であることを特徴とする遊技機。
【００３７】
前記（１２）に記載の遊技機によれば、接触型位置検出手段（例えば開閉検出機構の接触型位置検出スイッチ）の損傷および誤検出を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３８】
（１３）  請求項１に記載の遊技機、または、前記（１）から（１１）のいずれか一つに記載の遊技機において、
前記遊技機はスロットマシンであることを特徴とする遊技機。
【００３９】
前記（１３）に記載の遊技機によれば、接触型位置検出手段（例えば開閉検出機構の接触型位置検出スイッチ）の損傷および誤検出を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００４０】
（１４）請求項１に記載の遊技機、または、前記（１）から（１１）のいずれか一つに記載の遊技機において、
前記遊技機はパチンコ機とスロットマシンとを融合させたものであることを特徴とする遊技機。
【００４１】
前記（１４）に記載の遊技機によれば、接触型位置検出手段（例えば開閉検出機構の接触型位置検出スイッチ）の損傷および誤検出を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、所定の入賞手段への遊技球の入賞などに起因して始動用操作手段（例えば操作レバー）の操作が可能な状態となり、この始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」が挙げられる。
【００４２】
以下、パチンコ遊技機（以下、単に「パチンコ機」という）の各種の実施の形態を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００４３】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００４４】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００４５】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００４６】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００４７】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００４８】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００４９】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００５０】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５１】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５２】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００５３】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、遊技球の第１の始動口３３ａへの入球または遊技球の第１の始動口３３ｂへの入球のどちらの場合にも、それが始動入賞であることに変わりは無い。
【００５４】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００５５】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００５６】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００５７】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００５８】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００５９】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００６０】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６１】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６２】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００６３】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００６４】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００６５】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００６６】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【００６７】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【００６８】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００６９】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００７０】
従って、本実施の形態では、遊技領域３０ａの幅（左右方向の最大幅）は、４１８ｍｍであり、遊技領域３０ａの高さ（上下方向の最大幅）は、４４５ｍｍである。
【００７１】
なお、詳しい図面の開示は省略するが、遊技球発射装置３８には、前面枠セット１４側の球出口（上皿１９の最下流部より通じる球出口）から遊技球が１つずつ供給される。
【００７２】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００７３】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７４】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７５】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【００７６】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００７７】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００７８】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００７９】
第１制御基板ユニット２０１は略Ｌ字状をなす取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは封印ユニット（図示省略）によって開封不能に連結され、これにより基板ボックス２６３が封印されている。
【００８０】
封印手段としての封印ユニットはボックスベース（図示省略）とボックスカバー（図示省略）とを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【００８１】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００８２】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電       ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８３】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００８４】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００８５】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００８６】
次に、裏パックユニット２０３の構成を説明する。裏パックユニット２０３は、図３に示すように、樹脂成形された裏パック３５１と遊技球の払出機構部３５２とを一体化したものである。
【００８７】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００８８】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００８９】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００９０】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９１】
なお、図３に示すように、内枠１２の右上側には、内枠１２が外枠１１に対して開かれたことを検出する接触型位置検出スイッチ（内枠開検出スイッチ）３８８が設けられている。内枠１２が開かれると、接触型位置検出スイッチ３８８からホール内（パチンコ店内）用コンピュータへ出力されるようになっている。
【００９２】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００９３】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００９４】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【００９５】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００９６】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００９７】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９８】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【００９９】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１００】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１０１】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１０２】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１０３】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１０４】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１０５】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１０６】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１０７】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１０８】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１０９】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１１１】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１１２】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１１３】
次に、本実施例のパチンコ機１０のさらなる特徴部分の構成について、図６〜図１４を用いて説明する。図６（ａ）〜（ｃ）は、内枠１２を外枠１１に対して閉じる様子を示す平面図である。図７（ａ）〜（ｃ）は、図６に示した前面枠セット１４と内枠１２の一部を除去した状態で内枠１２を外枠１１に対して閉じる様子を示す平面図である。図８（ａ）〜（ｃ）は、図７に示した内枠１２を外枠１１に対して閉じる様子を示す一部破断平面図である。図９（ａ）〜（ｃ）は、図７に示した内枠１２を外枠１１に対して閉じる際の開閉検出機構４２０部分の様子を示す部分正面図である。図１０（ａ）〜（ｃ）は、図９に示した開閉検出機構４２０部分を拡大した拡大図である。図１１（ａ）〜（ｃ）は、図１０に示した開閉検出機構４２０の様子を示す図である。図１２（ａ）は図９（ｃ）に示した一点鎖線箇所を拡大した拡大図であり、図１２（ｂ）は緩衝部材４００と接触型位置検出スイッチ３８８の正面図である。なお、図６〜図１１は、外枠１１が固定で内枠１２が閉じられる様子を示している。図１３（ａ）〜（ｃ）は、図１０に示した開閉検出機構４２０部分を、内枠１２を固定で外枠１１が移動するという視点で表わした図である。図１４（ａ）〜（ｃ）は、図１１に示した開閉検出機構４２０部分を、内枠１２を固定で外枠１１が移動するという視点で表わした図である。
【０１１４】
パチンコ機１０は、図６に示すように、外枠１１に対して開いた開状態と、この外枠１１に対して閉じた閉状態とに変位可能な内枠１２を備えている。外枠１１は、パチンコ機１０の外殻を形成し、遊技場（ホール）の遊技島に固定されるものである。また、内枠１２は、外枠１１の一側部（例えば、図６に示す場合では平面視で左側部）を開閉軸としてこの外枠１１に対して開閉可能に支持されたものである。
【０１１５】
また、前面枠セット１４は、内枠１２の一側部（例えば、図６に示す場合では平面視で左側部）を開閉軸として内枠１２に対して開閉自在に取り付けられている。
【０１１６】
さらに、パチンコ機１０は、図６〜図１２に示すように、内枠１２の開状態と閉状態とを検出する開閉検出機構４２０と、内枠１２を閉状態とする際のこの内枠１２と開閉検出機構４２０との間に設けられる緩衝部材４００とを備えている。なお、緩衝部材４００は、後述するように、内枠１２を閉状態とする際のこの内枠１２と外枠１１との間の衝撃を和らげるものであるとも言える。
【０１１７】
図１１に示すように、緩衝部材４００は、内枠１２に軸支された回動部４０２と、この回動部４０２からその回動軸Ｊ２（図１２参照）に対して直交する方向に突出した部材であって、内枠１２が閉状態となる際に外枠１１に当接する弾性部４０４を有する第１突出部材４０６と、回動部４０２からその回動軸Ｊ２（図１２参照）に対して直交する方向でかつ第１突出部材４０６とは異なる方向に突出した、第１突出部材４０６とは別の第２突出部材４０８とが一体的に形成されたものである。本実施例では、緩衝部材４００は、例えば、透明樹脂で形成されている。
【０１１８】
図１１に示すように、開閉検出機構４２０は、収納本体部４２２と、付勢力により押出される（押し戻される）可動片４２４と、この可動片４２４を押圧することで開あるいは閉となる接点部（図示省略）と、を有する接触型位置検出スイッチ３８８を備えている。この実施例では、可動片４２４は、付勢力により、収納本体部４２２よりも外側に少なくともその一部が出た状態となる。また、可動片４２４として、収納本体部４２２よりも外側に少なくとも一部が出た状態（初期位置状態）から、付勢力により、さらに外側に出た状態（初期位置よりもさらに外側に出た突出状態）のものを採用してもよい。
【０１１９】
接触型位置検出スイッチ３８８は、図１２に示すように、内枠１２が閉状態となる際に回動してきた第２突出部材４０８が可動片４２４を押圧する位置に配設され、可動片４２４の押圧により内枠１２が閉状態の位置にあることを検出するものである。
【０１２０】
図１４に示すように、接触型位置検出スイッチ３８８の可動片４２４は、その一部が収納本体部４２２の所定の当接面４２６から外側に出たものである。また、接触型位置検出スイッチ３８８は、内枠１２が閉状態となる際に回動してきた第２突出部材４０８が可動片４２４を押圧した状態において、収納本体部４２２の当接面４２６に第２突出部材４０８が当接する位置に配設されている。
【０１２１】
図６〜図８に示すように、内枠１２は、外枠１１の一辺側（例えば、正面視で左辺側）を開閉回動軸Ｊ１として片開き自在となっている。図１２（ａ）に示すように、緩衝部材４００の回動部４０２は、その回動軸Ｊ２（図１２（ａ）の紙面に垂直な軸）が、内枠１２の開閉回動軸Ｊ１に対して直交するようにしてこの内枠１２に軸支されている。
【０１２２】
図１２（ａ）に示すように、第２突出部材４０８は、回動部４０２からその回動軸Ｊ２に対して直交する方向で、かつ、第１突出部材４０６に対して直交する方向に突出している。また、緩衝部材４００は、回動部４０２の回動軸Ｊ２の軸方向から見た状態において、第１突出部材４０６と回動部４０２と第２突出部材４０８とを含めた形状が略Ｌ字形状となっている。
【０１２３】
図１２（ａ）に示すように、緩衝部材４００は、第１突出部材４０６が回動部４０２から略下方に突出し、かつ、第２突出部材４０８が回動部４０２から略水平方向に突出した状態で内枠１２に軸支されている。また、図１４（ａ）に示すように、内枠１２が開状態であるときは、接触型位置検出スイッチ３８８の可動片４２４の付勢力により緩衝部材４００の第２突出部材４０８が押し下げ回動された開検出状態となっている。さらに、パチンコ機１０は、図１２（ａ）に示すように、図１４（ａ）に示した開検出状態の第２突出部材４０８が押し下げ方向に限界位置を越えて回動することがないように規制する規制部材４３０を備えている。
【０１２４】
さらに、図１２（ａ）に示すように、内枠１２は、開口部４４０から第１突出部材４０６の弾性部４０４を露出させるようにして緩衝部材４００を収容する収容部材４４２を備えている。この収容部材４４２は、例えば、内枠１２の裏面側に取り付けられるもので、内枠１２と同等の外形大きさで、中央部分が大きく開口された四角形枠体形状となっており、セット板とも呼ばれるものである。また、この収容部材４４２は、第１突出部材４０６の外枠１１と当接する側とは反対側に壁部４４４を備えている。この壁部４４４は、第１突出部材４０６が押し戻し方向に限界位置を越えて回動することがないように規制するものである。
【０１２５】
図１２（ｂ）に示すように、第１突出部材４０６は、第２突出部材４０８よりも厚みを薄くしている。例えば、本実施例では、第１突出部材４０６はその厚みＤ１を１．６ｍｍ（ミリ）とし、第２突出部材４０８はその厚みＤ２を２ｍｍ（ミリ）としており、第１突出部材４０６（厚みＤ１は１．６ｍｍ）は、第２突出部材４０８（厚みＤ２は２ｍｍ）よりも厚みを薄くしている。なお、第１突出部材４０６の厚みＤ１と第２突出部材４０８の厚みＤ２は前記の数値に限定されるものではなく、種々の数値を取り得る。
【０１２６】
また、第１突出部材４０６は、第２突出部材４０８よりもその突出長さを長くしている。例えば、本実施例では、第１突出部材４０６はその長さＮ１を２８ｍｍ（ミリ）とし、第２突出部材４０８はその長さＮ２を１６ｍｍ（ミリ）としており、第１突出部材４０６（長さＮ１は２８ｍｍ）は、第２突出部材４０８（長さＮ２は１６ｍｍ）よりもその突出長さを長くしている。なお、第１突出部材４０６の長さＮ１と第２突出部材４０８の長さＮ２は前記の数値に限定されるものではなく、種々の数値を取り得る。
【０１２７】
図１２（ｂ）に示すように、弾性部４０４は、第１突出部材４０６の先端から回動部４０２の方に折り曲げた折り曲げ部材４１０としている。折り曲げ部材４１０は、その先端に円弧状部材４１２を備えている。緩衝部材４００の回動部４０２は、図１２（ｂ）に示すように、その中央に貫通孔４０３が形成されており、図１２（ａ）に示した収容部材４４２の図示しないボス（嵌合ピン）が挿入されることで回動自在となっている。具体的には、収容部材４４２の図示しないボス（嵌合ピン）の先端側にネジ穴（図示省略）が形成されており、収容部材４４２の図示しないボス（嵌合ピン）が緩衝部材４００の回動部４０２に挿入された状態で、そのネジ穴（図示省略）にネジ４１４を螺入することで、緩衝部材４００の回動部４０２が回動自在で、かつ、当該緩衝部材４００が外れることのないように固定されている。
【０１２８】
また、収容部材４４２（セット板）は、内枠１２に対して片開きに開閉自在となっている。具体的には、収容部材４４２（セット板）を内枠１２に対して開く際に、緩衝部材４００の先端（つまり、第１突出部材４０６の先端）が内枠１２に当たらないように、内枠１２の収容部材４４２（セット板）を開閉させるための軸部分を、内枠１２の裏面側に突出した位置に設けている。つまり、内枠１２の収容部材４４２（セット板）を開閉させるための軸部分から緩衝部材４００の先端（つまり、第１突出部材４０６の先端）までの距離を「ａ」とし、内枠１２の裏面側から突出した位置（離れた位置）の軸部分までの距離を「ｂ」とすると、距離ａ＜距離ｂの関係としている。
【０１２９】
なお、上述した外枠１１が本発明における被対象部材に相当し、上述した内枠１２が本発明における開閉部材に相当し、上述した開閉検出機構４２０が本発明における検出手段に相当し、上述した接触型位置検出スイッチ３８８が本発明における接触型位置検出手段に相当する。
【０１３０】
ここで、内枠１２を外枠１１に対して閉じる際の緩衝部材４００及び接触型位置検出スイッチ３８８の動作について説明する。
【０１３１】
図６（ａ）に示すように内枠１２が外枠１１に対して開いた状態（開放状態）、つまり、図８（ａ）や図１０（ａ）に示すように内枠１２が外枠１１に対して開いた状態（開放状態）では、緩衝部材４００の第１突出部材４０６、詳細に言えば折り曲げ部材４１０は、外枠１１の左側の内面４５０から離れた状態（非接触状態）となっている。なおこのとき、図１１（ａ）や図１４（ａ）に示すように、接触型位置検出スイッチ３８８の可動片４２４の付勢力により、緩衝部材４００の第２突出部材４０８が押し下げ回動された開検出状態となっていることがわかる。
【０１３２】
続いて、図６（ｂ）に示すように内枠１２が外枠１１に対して閉じる直前の状態、つまり、図８（ｂ）や図１０（ｂ）に示すように内枠１２が外枠１１に対して閉じる直前の状態では、緩衝部材４００の第１突出部材４０６、詳細に言えば折り曲げ部材４１０の先端の円弧状部材４１２は、外枠１１の左側の内面４５０に接触して、この第１突出部材４０６が反時計周りに回動することに伴って回動部４０２も回動し、第２突出部材４０８も同様に回動してこの第２突出部材４０８が接触型位置検出スイッチ３８８の可動片４２４を押下した状態となっている。なおこのとき、図１１（ｂ）や図１４（ｂ）に示すように、第１突出部材４０６が反時計周りに回動する力は、接触型位置検出スイッチ３８８の可動片４２４の付勢力よりも勝っており、可動片４２４が第２突出部材４０８に押下された閉検出状態となっていることがわかる。
【０１３３】
続いて、図６（ｃ）に示すように内枠１２が外枠１１に対して完全に閉じた状態、つまり、図８（ｃ）や図１０（ｃ）に示すように内枠１２が外枠１１に対して完全に閉じた状態では、緩衝部材４００の第１突出部材４０６の弾性部４０４、詳細に言えば折り曲げ部材４１０は、さらに反時計周りに回動変形（弾性変形）し、内枠１２が閉状態となるので、内枠１２を閉状態とする際の内枠１２と外枠１１との間の衝撃は、緩衝部材４００の第１突出部材４０６の弾性部４０４により緩めやわらげることができる。なおこのとき、図１１（ｃ）や図１４（ｃ）に示すように、第１突出部材４０６、詳細には第１突出部材４０６の弾性部４０４が弾性変形した状態となっておいても、第２突出部材４０８が反るようなことなく、接触型位置検出スイッチ３８８の可動片４２４の押下を好適に維持していることがわかる。
【０１３４】
上述したように、本実施例のパチンコ機１０によれば、外枠１１に対して開いた開状態と、外枠１１に対して閉じた閉状態とに変位可能な内枠１２と、この内枠１２を閉状態とする際の当該内枠１２と外枠１１との間の衝撃を和らげる緩衝部材４００と、内枠１２の開状態と閉状態とを検出する開閉検出機構４２０とを備え、さらに、緩衝部材４００は、内枠１２に軸支された回動部４０２と、この回動部４０２からその回動軸Ｊ２（図１２参照）に対して直交する方向に突出した部材であって、内枠１２が閉状態となる際に外枠１１に当接する弾性部４０４を有する第１突出部材４０６と、回動部４０２からその回動軸Ｊ２（図１２参照）に対して直交する方向でかつ第１突出部材４０６とは異なる方向に突出した、第１突出部材４０６とは別の第２突出部材４０８とが一体的に形成されたものであり、開閉検出機構４２０は、収納本体部４２２と、付勢力により収納本体部４２２よりも外側に少なくとも一部が出た可動片４２４と、可動片４２４を押圧することで開あるいは閉となる接点部（図示省略）とを備えた接触型位置検出スイッチ３８８であり、この接触型位置検出スイッチ３８８は、内枠１２が閉状態となる際に回動してきた第２突出部材４０８が可動片４２４を押圧する位置に配設され、可動片４２４の押圧により内枠１２が閉状態の位置にあることを検出するものである。
【０１３５】
したがって、内枠１２が閉状態となる際に、緩衝部材４００の第１突出部材４０６の弾性部４０４が外枠１１に当接し、この当接力を受けることで回動部４０２が回動軸周りに回動し、この回動に伴ってその回動方向に第２突出部材４０８も回動し、この回動してきた第２突出部材４０８が接触型位置検出スイッチ３８８の可動片４２４を押圧し、内枠１２が閉状態であることを検出することができる。また、緩衝部材４００の回動は、第２突出部材４０８が接触型位置検出スイッチ３８８の可動片４２４を押圧した時点で停止し、その後は、第１突出部材４０６の弾性部４０４が弾性変形して内枠１２が閉状態となるので、内枠１２を閉状態とする際の内枠１２と外枠１１との間の衝撃は、緩衝部材４００の第１突出部材４０６の弾性部４０４により緩めやわらげることができる。また、緩衝部材４００の第１突出部材４０６が外枠１１よりさらに押さえつけられたとしても、第２突出部材４０８は反ることが無く、誤検出の発生を低減できる。その結果、接触型位置検出スイッチ３８８の損傷および誤検出を低減できるパチンコ機を提供することができる。
【０１３６】
また、可動片４２４は、その少なくとも一部が収納本体部４２２の所定の当接面４２６から外側に出たものであり、接触型位置検出スイッチ３８８は、内枠１２が閉状態となる際に回動してきた第２突出部材４０８が可動片４２４を押圧した状態において、収納本体部４２２の当接面４２６に第２突出部材４０８が当接する位置に配設されているので、緩衝部材４００の回動は、第２突出部材４０８が接触型位置検出スイッチ３８８の可動片４２４を押圧した状態で収納本体部４２２の当接面４２６に当接した時点で停止するので、接触型位置検出スイッチ３８８の可動片４２４を必要以上に押圧することがなく、接触型位置検出スイッチ３８８の可動片４２４の損傷を低減することができる。
【０１３７】
また、内枠１２は、外枠１１の一辺側（本実施例では正面視で左辺側）を開閉回動軸Ｊ１として片開き自在となっており、回動部４０２は、その回動軸Ｊ２が開閉回動軸Ｊ１に対して直交するようにして内枠１２に軸支されているので、緩衝部材４００の第１突出部材４０６および第２突出部材４０８は内枠１２の面内で回動するようにでき、内枠１２と直交する面方向に緩衝部材４００の第１突出部材４０６および第２突出部材４０８が突出してくることがない。つまり、内枠１２が片開きする方向に緩衝部材４００の第１突出部材４０６および第２突出部材４０８が突出しないので、内枠１２が片開きする方向を省スペース化することができる。
【０１３８】
また、第２突出部材４０８は、回動部４０２からその回動軸に対して直交する方向で、かつ、第１突出部材４０６に対して直交する方向に突出しており、緩衝部材４００は、回動部４０２の回動軸Ｊ２の方向から見た状態において、第１突出部材４０６と回動部４０２と第２突出部材４０８とを含めた形状が略Ｌ字形状となっているので、第１突出部材４０６が外枠１１に接触する接触面側に、接触型位置検出スイッチ３８８を配置する必要はなく、その接触面に対して直交しかつ回動部４０２の回動軸Ｊ２と平行な面側に接触型位置検出スイッチ３８８を配置することができる。つまり、第１突出部材４０６が外枠１１に接触する接触面から第２突出部材４０８の突出方向に離れた位置に接触型位置検出スイッチ３８８を配置することができ、接触型位置検出スイッチ３８８が配置し易くできる。
【０１３９】
また、緩衝部材４００は、第１突出部材４０６が回動部４０２から略下方に突出し、かつ、第２突出部材４０８が回動部４０２から略水平方向に突出した状態で内枠１２に軸支されており、内枠１２が開状態であるときは、接触型位置検出スイッチ３８８の可動片４２４の付勢力により緩衝部材４００の第２突出部材４０８が押し下げ回動された開検出状態となっており、さらに、開検出状態の第２突出部材４０８が押し下げ方向に限界位置を越えて回動することがないように規制する規制部材４３０を備えているので、緩衝部材４００の第１突出部材４０６が異常に外側に突出した状態となることを防止できる。つまり、第１突出部材４０６が異常に突出した場合には、内枠１２を閉状態にする際における衝撃を緩めるという緩衝機能を緩衝部材４００が果さないだけでなく、内枠１２を閉状態にする際に、第１突出部材４０６を挟んで第１突出部材４０６や緩衝部材４００などに損傷を与えてしまうおそれもあるが、規制部材４３０によりこれらを防止することができるし、第１突出部材４０６を適正な状態に維持することができる。
【０１４０】
また、内枠１２は、開口部４４０から第１突出部材４０６の弾性部４０４を露出させるようにして緩衝部材４００を収容する収容部材４４２を備え、収容部材４４２は、第１突出部材４０６の外枠１１と当接する側とは反対側に壁部４４４を備えているので、収容部材４４２の開口部４４０と第１突出部材４０６との間の僅かな隙間から細状部材などを進入させて不正を図ろうとした場合に、この壁部４４４が防御壁となり、その進入を抑制でき、不正を低減することができる。
【０１４１】
また、壁部４４４は、第１突出部材４０６が押し戻し方向に限界位置を越えて回動することがないように規制するものとしているので、第１突出部材４０６が押し戻し方向に限界位置を越えて回動することがないように規制でき、第１突出部材４０６が押し戻し方向に限界位置を越えて回動することで接触型位置検出スイッチ３８８が損傷してしまうということを低減できる。また、仮に、外枠１１と第１突出部材４０６との間にケーブルなどの異物を挟んだ状態となり、第１突出部材４０６が押し戻し方向に回動しても限界位置を越えてまで回動することがなく、内枠１２が適正に閉じないあるいは閉じ難いことから、異物の噛み込みを発見できる。
【０１４２】
また、第１突出部材４０６は、第２突出部材４０８よりも厚みを薄くしているので、第１突出部材４０６に回動限界以上の力が加わった場合に、第２突出部材４０８よりも第１突出部材４０６の方が変形し易くできる。つまり、第１突出部材４０６の弾性部４０４を好適に実現できる。
【０１４３】
また、第１突出部材４０６は、第２突出部材４０８よりもその突出長さを長くしているので、第１突出部材４０６に回動限界以上の力が加わった場合に、第２突出部材４０８よりも第１突出部材４０６の方が変形し易くできる。つまり、第１突出部材４０６の弾性部４０４を好適に実現できる。また、第１突出部材４０６は、第２突出部材４０８よりも厚みを薄くし、かつ、第２突出部材４０８よりもその突出長さを長くしている場合には、さらに弾性に富む。
【０１４４】
また、弾性部４０４は、第１突出部材４０６の先端から回動部４０２の方に折り曲げた折り曲げ部材４１０としているので、少ない力で第１突出部材４０６が曲がり易く、第２突出部材４０８よりも先に弾性変形させることができ、第１突出部材４０６の弾性部４０４を好適に実現できる。
【０１４５】
また、折り曲げ部材４１０は、その先端に円弧状部材４１２を備えているので、内枠１２を閉状態とする際に近づいてくる外枠１１に対して好適に接触させることができ、確実に緩衝部材４００を回動させることができる。
【０１４６】
また、外枠１１は、当該パチンコ機の外殻を形成し遊技場（ホール）の遊技島に固定されるものであり、内枠１２は、外枠１１の一側部（正面視で左側部）を開閉軸（開閉回動軸Ｊ１）として当該外枠１１に対して開閉可能に支持されたものとしているので、外枠１１に対して内枠１２が開かれた開状態を好適に検出できるし、内枠１２を閉じる際の衝撃も緩めることができるし、接触型位置検出スイッチ３８８の損傷および誤検出を低減できる。
【０１４７】
また、実施例では、第２突出部材４０８と第１突出部材４０６とのなす角度を直角（略直角であってもよい）としているが、第２突出部材４０８の第１突出部材４０６に対する取り付け角度を変えることで、接触型位置検出スイッチ３８８の取り付け位置を変更することができ、接触型位置検出スイッチ３８８の取り付けの自由度を確保できる。
【０１４８】
この発明は、上記実施形態に限られることはなく、下記のように変形実施することができる。
【０１４９】
（１）上述した実施例では、第１突出部材４０６および第２突出部材４０８は、回動部４０２からその回動軸に対して直交する方向に突出した部材としているが、直交以外に交差する方向に突出した部材としてもよい。
【０１５０】
（２）上述した実施例では、緩衝部材４００は、回動部４０２と第１突出部材４０６と第２突出部材４０８とが一体成形されて一体的としているが、これら（回動部４０２と第１突出部材４０６および第２突出部材４０８）を組み付けたり、固着させたりして一体的としてもよい。
【０１５１】
（３）上述した実施例では、開閉検出機構４２０や接触型位置検出スイッチ３８８は、内枠１２の開状態と閉状態との両方を検出するものとしているが、内枠１２の開状態と閉状態とのうちで少なくとも閉状態を検出するものしてもよい。
【０１５２】
（４）上述した実施例では、被対象部材として外枠１１を、開閉部材として内枠１２をそれぞれ採用しているが、被対象部材として外枠１１以外のものを、開閉部材として内枠１２以外のものをそれぞれ採用してもよい。
【０１５３】
（５）上述した実施例では、第１突出部材４０６は、内枠１２が閉状態となる際に外枠１１に当接しているが、内枠１２が閉状態となる際に、外枠１１に直接に当たることのみならず、外枠１１に対しては直接触れないがこの外枠１１に設けられた配設部材あるいは介装部材に当接するようにしてもよい。
【０１５４】
（６）上述した実施例では、第１突出部材４０６は、第２突出部材４０８よりも厚みを薄くし、かつ、第２突出部材４０８よりもその突出長さを長くしているが、第１突出部材４０６は、第２突出部材４０８よりも厚みを薄くするのみとしたり、第１突出部材４０６は、第２突出部材４０８よりもその突出長さを長くするのみとしたりしてもよい。
【０１５５】
（７）上述した実施例では、弾性部４０４として、第１突出部材４０６の先端から回動部４０２の方に折り曲げた折り曲げ部材４１０を採用しているが、コイルバネ、板バネなど各種の弾性体を採用してもよい。
【０１５６】
（８）上述した実施例では、第１突出部材４０６と第２突出部材４０８とのなす角度を９０度としているが、略９０度としてもよいし、その他の角度としてもよい。
【０１５７】
（９）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１５８】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１５９】
以上のように、この発明は、パチンコ機やスロットマシン等の遊技機に適している。
【符号の説明】
【０１６０】
１１  …外枠（被対象部材）
１２  …内枠（開閉部材）
４００  …緩衝部材
４０２  …回動部
４０４  …弾性部
４０６  …第１突出部材
４０８  …第２突出部材
４１０  …折り曲げ部材
４１２  …円弧状部材
４２０  …開閉検出機構
４２２  …収納本体部
４２４  …可動片
４２６  …当接面
４３０  …規制部材
４４０  …開口部
４４２  …収容部材
４４４  …壁部
【図１】
2011139937.tif 000003
【図２】
2011139937.tif 000004
【図３】
2011139937.tif 000005
【図４】
2011139937.tif 000006
【図５】
2011139937.tif 000007
【図６】
2011139937.tif 000008
【図７】
2011139937.tif 000009
【図８】
2011139937.tif 000010
【図９】
2011139937.tif 000011
【図１０】
2011139937.tif 000012
【図１１】
2011139937.tif 000013
【図１２】
2011139937.tif 000014
【図１３】
2011139937.tif 000015
【図１４】
2011139937.tif 000016